(57)【要約】【課題】筐体の同じ収納部（棚）で種類（奥行き寸法）が異なるユニットが使用でき、筐体の有効利用を図かる。【解決手段】ユニット１ａ，１ｂの背面７には、その種類（奥行き寸法）に応じた間隔で一対の爪１９ａ1，１９ａ2と爪１９ｂ1，１９ｂ2とが設けられており、また、ラック（筐体）の各棚３には、奥行き寸法が大きいユニット１ａに対する一対の係合孔１８ａ1，１８ａ2が、このユニット１ａの奥行き寸法に応じた奥行き方向の位置に、このユニット１ａの爪１９ａ1，１９ａ2の間隔Ｄａに等しい間隔で設けられて、爪１９ａ1，１９ａ2が係合孔１８ａ1，１８ａ2に係合可能とし、また、奥行き寸法が小さいユニット１ｂに対する一対の係合孔１８ｂ1，１８ｂ2が、このユニット１ｂの奥行き寸法に応じた奥行き方向の位置に、このユニット１ｂの爪１９ｂ1，１９ｂ2の間隔Ｄｂに等しい間隔で設けられている。爪１９ｂ1，１９ｂ2が係合孔１８ｂ1，１８ｂ2に係合可能とする。【選択図】図４
2009010028.tif 000002
【特許請求の範囲】
【請求項１】
筐体内にユニットを収納するための棚が設けられており、収納された該ユニットを該筐体に固定するための筐体のユニット取付構造であって、
該筐体の該棚には夫々、奥行き寸法が異なる複数種類のユニットが収納可能であって、
該ユニットには、その背面にその種類に応じた異なる間隔で一対の爪が設けられ、
該筐体の該棚には、該ユニットの夫々の種類に対し、該ユニットの奥行き寸法に応じた位置に該ユニットの背面に設けられた該一対の爪の間隔に等しい間隔で一対の係合孔が設けられ、
同じ該棚で、いずれの種類の該ユニットに対しても、該ユニットが該筐体に収納されたとき、該ユニットの背面に設けられた該一対の爪が該棚での該当する一対の係合孔に係合し、該ユニットを該棚に固定するように構成したことを特徴とする筐体のユニット取付構造。
【発明の詳細な説明】
【技術分野】
【０００１】
本発明は、電子機器のユニットを収納するラックなどの複数の棚を備えた筐体に係り、特に、床設置型の電子機器など大型電子機器を固定して収納できるようにした筐体のユニット取付構造に関する。
【背景技術】
【０００２】
床設置型の電子機器など大型の電子機器は機能毎にユニット化され、ラックなどの筐体など（以下では、ラックを例に説明する）に実装されるようになっており、また、かかる電子機器のユニットは、ラックに実装後も調整作業や保守作業が可能なように、ラックに対して着脱可能に収納される。
【０００３】
一方、電子機器に振動が加わることは好ましいことではない。かかる振動としては、地震などによる場合もあるし、また、船舶に搭載されているラックに収納されたユニットに対しては、波による船舶の揺れの繰り返しによる場合もあり、このような振動があると、ラック内でユニットが振動し、ユニットに不具合が生ずることもある。
【０００４】
このようなユニットのラック内での振動を防止するために、従来、ラックに対して着脱を可能としながら、収納されたユニットがラックに固定されるようにした技術が提案されているが、その一例としては、ユニットの前面部と背面部とを固定する構造とするものである。
【０００５】
図１２はかかる従来例を示す図であって、同図（ａ）はラックの全体構成を示す斜視図、同図（ｂ）は収納されたユニットの背面部分を示す断面図であり、１はユニット、２はラック、３は棚、４は前面枠、５はねじ穴、６は前面板、７は背面、８はねじ穴、９は爪、１０は把手、１１はねじ、１２受け金具、１３はねじ、１４は爪受け部である。
【０００６】
図１２（ａ）において、ラック２は、その筐体内に複数の棚３が設けられて、これら棚３によって内部が区分され、夫々の区分がユニット１の収納部を形成している。ラック２の前面側が開口しており、各棚３毎に、ユニット１の出し入れができるようにしている。また、このラック２の前面側には、その前面開放部を囲むように、前面枠４が取り付けられており、この前面枠４の垂直の部分に各棚３毎のねじ穴５が設けられている。
【０００７】
ユニット１は、ラック２の１つの棚３の部分に収納可能な横幅，縦幅，奥行きの筐体からなるものであるが、その前面部にこの筐体の横幅よりも大きな横幅の前面板６が設けられている。この前面板６には、その左右の両辺側に把手１０が設けられているとともに、縦方向に２個ずつ配列されたねじ穴８が設けられている。また、このユニット１の背面７側には、その左右両側の下角部付近に夫々爪９が設けられている。
【０００８】
このユニット１は、ラック２の所望の棚３に運び、両手で把手１０を掴んで前後に動かすことにより、この棚３でユニット１を出し入れすることができるが、ユニット１を棚３の奥まで押し込むと、その前面板６がラック２の前面枠４に当接し、その状態で前面板のねじ穴８と前面枠４のねじ穴５にねじ１１を差し込んで締め付けることにより、この前面板６がこの前面枠４に固定される。
【０００９】
また、ラック２の各棚３の奥部には、図１２（ｂ）に示すように、ねじ１３でねじ止めされ、このねじ止め部からラック２の前面（入口）側（図面上左側）に傾斜して立ち上がる立上り部を有する受け金具１２が固定されており、この受け金具１２の立上り部により、ユニット１の爪９を受ける爪受け部１４が形成されている。かかる受け金具１２は、ユニット１をラック２内に押し込んだときのこのユニット１の夫々の爪９が爪受け部１４に嵌まり込む位置に設けられている。
【００１０】
そこで、上記のように、ユニット１を棚３に運び、把手１０を持ってラック２内に押し込むと、前面板６がラック２の前面枠４に当接するとともに、ユニット１の背面に設けられている爪９が夫々の受け金具１２による爪受け部１４に嵌まり込む。
【００１１】
かかる状態で、ねじ１１により、ユニット１の前面板６をラック２の前面枠４に固定すると、ユニット１はその前面側が固定されるとともに、背面側も夫々の爪９が受け金具１２による爪受け部１４に嵌まり込むことによって固定されることになり、全体としてユニット１がラック２に固定されることになる。なお、ねじ１１を取り外すことにより、ユニット１をラックからより出すことができる。
【００１２】
このように、上記従来技術は、ユニットの前面側をねじ止めによって固定するものであるが、ねじ止めをせずに固定するようにした技術も提案されている（例えば、特許文献１参照）。
【００１３】
図１３は特許文献１に記載の技術を示すものであって、同図（ａ）はラックの全体構成を示す斜視図、同図（ｂ）は収納されたユニットの底面部分を示す断面図であり、１５はガイド、１６は係合孔、１７は固定金具であり、図１２に対応する部分には同一符号をつけて重複する説明を省略する。
【００１４】
図１３（ａ）において、ラック２の内部には、図１２（ａ）での棚３の代わりに、その前面の開口（ユニット１の入口）側から見て両側に対をなして、開口から奥の方に向かってガイド１５が設けられており（片側のガイド１５は隠れて見えていない）、かかるガイド１５の対が所要段設けられている。両側のかかる対のガイド１５がユニット１の収納部を区分するものであり、この収納部に収納されるユニット１は、これら対をなすガイド１５上に載置されてラック２での出し入れができる。
【００１５】
各ガイド１５には、図１２（ａ）での爪９の代わりに、その長手方向（ラック２の奥行き方向）に沿って２つの係合孔１６が設けられており、また、ユニット１には、図１２（ｂ）での受け金具１２の代わりに、その底面の左右の辺部分に固定金具１７が設けられている。なお、ユニット１の前面板６には、ねじ穴は設けられていない。また、ラック２にも、図１２に示すようなねじ穴５は設けられていない。
【００１６】
ユニット１をラック２の所定のガイド１５まで運び、把手１０を持ってガイド１５に沿って押し込むと、ユニット１の底面の夫々の固定金具１７がガイド１５の夫々の係合孔１６に係合し、これにより、ユニット１が４隅で対をなす２つのガイド１５に固定される。
【００１７】
このようにして、図１２に示すラック１のように、ネジ止めを必要とせずに、ユニットの前方側と奥方側とが同時にラック２に固定されることになる。
【００１８】
ここで、固定金具１７は、図１３（ｂ）に示すように、上下方向に波状に折り曲げられ、かつその先端部が下方に傾斜した形状であり、この先端部の傾斜した部分がガイド１５に設けられた係合孔１６に係合することにより、ユニット１の底面がガイド１５の面に押し当てられて固定することになる。従って、このようにして固定されたユニット１は、把手１０を掴んで手前（開口側）に引くことにより、固定金具１７が係合孔１６からはずれ、簡単に取り出すことができる。
【特許文献１】特開２００５ー３４７３８５
【発明の開示】
【発明が解決しようとする課題】
【００１９】
ところで、ラックに収納するユニットとしては、電子機器の種類に応じて奥行きが異なるものもある。このように奥行き寸法によって種類が異なるユニットを図１２，図１３に示すラック２に収納できるようにするためには、収納するユニット２の奥行き寸法に応じて受け金具１２（図１２）や係合孔１６（図１３）の位置を決めなければならず、ユニット１のラック２での収納部はそのユニット１の種類（奥行き寸法）によって決まってしまうことになる。即ち、奥行き寸法が大きい種類のユニット１に合わせて受け金具１２や係合孔１６がラック２の収納部の奥深い位置に設けられている場合には、奥行き寸法が小さい種類のユニットは奥深く押し込まないと固定されないし（図１３に示されるように係合孔１６が設けられている場合には、夫々のガイド１５で１つの係合孔１６に固定金具１７が係合するだけで、安定した固定状態とはならない）、また、奥行き寸法が小さい種類のユニット１に合わせて受け金具１２や係合孔１６がラック２の収納部の手前側の位置に設けられている場合には、奥行き寸法が大きい種類のユニットは奥まで押し込むことができず、リック２の開口から一部突出した状態で収納されることになる。
【００２０】
また、図１２に示す従来技術では、受け金具１２の位置を変更することにより、異なる種類のユニットも収納可能となるが、ただ収納するだけのために、受け金具１２の位置を変更するといった手間のかかる作業が必要となる。
【００２１】
このように、上記従来の技術では、ラック２での各収納部は、ユニットの種類毎に収納可能なユニット１が決まるものであって、ユニット１の種類専用となり、空いていても種類が異なるというだけで使用できず、有効利用が図れないといった問題があった。
【００２２】
本発明は、かかる問題を解消し、作業の手間を省いて、筐体の同じ収納部（棚）で種類（奥行き寸法）が異なるユニットが使用できるようにした筐体のユニット取付構造を提供することにある。
【課題を解決するための手段】
【００２３】
上記目的を達成するために、本発明は、筐体内にユニットを収納するための棚が設けられており、収納されたユニットを筐体に固定するための筐体のユニット取付構造であって、筐体の棚には夫々、奥行き寸法が異なる複数種類のユニットが収納可能であって、ユニットには、その背面にその種類に応じた異なる間隔で一対の爪が設けられ、筐体の棚には、ユニットの夫々の種類に対し、ユニットの奥行き寸法に応じた位置にユニットの背面に設けられた一対の爪の間隔に等しい間隔で一対の係合孔が設けられ、同じ棚で、いずれの種類のユニットに対しても、ユニットが筐体に収納されたとき、ユニットの背面に設けられた一対の爪が棚での該当する一対の係合孔に係合し、ユニットを棚に固定するように構成したことを特徴とするものである。
【発明の効果】
【００２４】
本発明によると、奥行き寸法によって種類が異なるユニットを、筐体の同じ棚に収納して固定することができ、いずれの種類のユニットも、棚を選ぶことなく収納・固定することができて、筐体の有効利用を実現できる。
【発明を実施するための最良の形態】
【００２５】
以下、本発明の実施形態を図面により説明する。  
図１は本発明による筐体のユニット取付構造の第１の実施形態を示す斜視図であって、１８ａ，１８ｂは係合孔、１９は爪であり、図１２に対応する部分には同一符号をつけて重複する説明を省略する。
【００２６】
以下では、筐体として、ラックを例にして説明するが、棚が設けられ、これにユニットを収納・固定するものであれば、ラックに限るものではない。
【００２７】
同図において、ラック２内の夫々の棚３には、その開口（入口）から異なる位置に係合孔１８ａ，１８ｂが夫々２つずつ設けられており（但し、これら係合孔１８ａ，１８ｂは１つの棚３に１つずつ示しているだけであるが、他の棚３についても同様である。）、また、ユニット１の背面７には、かかる係合孔１８ａまたは係合孔１８ｂに係合する２つの爪１９が設けられている。これ以外の構成は、図１２に示す従来例と同様である。
【００２８】
図２は図１における棚３の一具体例を示す平面図であって、３ａは前面側の辺（前側辺）、３ｂは背面側の辺（後側辺）、１８ａ1，１８ａ2は係合孔１８ａ、１８ｂ1，１８ｂ2は係合孔ｂであり、図１に対応する部分には同一符号をつけている。
【００２９】
同図において、棚３には、その前側辺３ａから距離Ｌａの位置に、間隔Ｄａをあけて、２つの係合孔１８ａ1，１８ａ2が設けられている。これら係合孔１８ａ1，１８ａ2は、前側辺３ａに平行な同一の直線上に位置付けられている。また、この棚３には、その前側辺３ａから距離Ｌａよりも短い距離Ｌｂの位置に、間隔Ｄａよりも小さい間隔Ｄｂをあけて、２つの係合孔１８ｂ1，１８ｂ2が設けられている。これら係合孔１８ｂ1，１８ｂ2も、前側辺３ａに平行な同一の直線上に位置付けられている。
【００３０】
図３は図１におけるユニット１の爪１９の一具体例を示す断面図であって、２０は係合部、２１はユニット１の底面であり、図１，図２に対応する部分には同一符号をつけて重複する説明を省略する。
【００３１】
同図において、ユニット１の背面７の下部には、折り曲げられて下方に傾斜した係合部２０を有する爪１９が取り付けられており、この係合部２０はユニット１の底面２１よりも下方に突出している。
【００３２】
ユニット１がラック２内に押し込められて爪１９の係合部２０が棚３に設けられている係合孔１８ａ（１８ｂ）に達すると、図示するように、この爪１９の係合部２０がこの係合孔１８ａ（１８ｂ）に嵌まり込み、係合孔１８ａ（１８ｂ）の奥側（棚３の後側辺３ｂ（図２）側）の端部に係合し、ユニット１の背面７側が固定される。
【００３３】
図４は種類（奥行き寸法）が異なるユニット１の爪１９が棚３の係合孔１８ａ1，１８ａ2，１８ｂ1，１８ｂ2に係合するまでの過程を示す図であって、１ａ，１ｂはユニット、１９ａ1，１９ａ2，１９ｂ1，１９ｂ2は爪１９であり、前出図面に対応する部分には同一符号をつけて重複する説明を省略する。
【００３４】
図４（ａ）は奥行き寸法が大きい種類のユニット１ａの場合を示すものであって、かかるユニット１ａでは、その背面７に２つの爪１９ａ1，１９ａ2が、棚３の奥側の２つの係合孔１８ａ1，１８ａ2の間隔Ｄａに等しい間隔Ｄａで、かつユニット１ａの収納時では、これら係合孔１８ａ1，１８ａ2に対向するように、設けられている。
【００３５】
そこで、このユニット１ａをラック２に押し込む場合には、爪１９ａ1，１９ａ2は、その間隔Ｄａが係合孔１８ｂ1，１８ｂ2よりも大きいため、これら係合孔１８ｂ1，１８ｂ2に係合せずにそのまま押し込まれていき、係合孔１８ａ1，１８ａ2に図３に示したように係合してユニット１ａの背面７側が固定されることになる。また、このとき、図１において、ユニット１ａの前面板６は、ラック２の前面枠４に当接しており、ねじ１１によってこの前面板６をこの前面枠４に固定することができ、これにより、ユニット１ａの前面側も固定されることになる。
【００３６】
図４（ｂ）は奥行き寸法が小さい種類のユニット１ｂの場合を示すものであって、かかるユニット１ｂでは、その背面７に２つの爪１９ｂ1，１９ｂ2が、棚３の前側の２つの係合孔１８ｂ1，１８ｂ2の間隔Ｄｂに等しい間隔Ｄｂで、かつユニット１ｂの収納時では、これら係合孔１８ｂ1，１８ｂ2に対向するように、設けられている。
【００３７】
そこで、このユニット１ｂをラック２に押し込む場合には、爪１９ｂ1，１９ｂ2は、その間隔Ｄｂが係合孔１８ｂ1，１８ｂ2の間隔Ｄｂに等しいため、これら係合孔１８ｂ1，１８ｂ2に係合してユニット１ｂの背面７側が固定されることになる。また、このとき、図１において、ユニット１ｂの前面板６は、ラック２の前面枠４に当接しており、ねじ１１によってこの前面板６をこの前面枠４に固定することができ、これにより、ユニット１ｂの前面側も固定されることになる。
【００３８】
このようにして、ラック２の同じ棚３に、奥行き寸法が異なるユニットを固定して収納することができるものであって、同じ棚３を種類の異なるユニット１に共用することができ、ラックを有効に利用することが可能となる。
【００３９】
ところで、ユニット１をラック２内に押し込んだり、引き出したりする場合、図３で説明したように、爪１９の係合部２０がユニット１の底面２１よりも下方に突出しているため、図５に示すように、この係合部２０の先端が棚３の表面に当接し、ユニット１はその背面７側が持ち上がった状態で移動するが、また、この状態でユニット１が移動すると、爪１９の係合部２０の先端が棚３の表面を擦ることになる。棚３は、通常、プラスチックやステンレスなどから構成されてある程度滑り易いものであるが、それでも、棚３の塗装やメッキなどがなされた表面に傷がついたりするし、また、係合部２０の先端の滑りが不充分でユニット１を押し込んだり、引き出したりするのにある程度の力を必要とする場合もある。
【００４０】
図６はかかる問題を解消するための棚３の他の具体例を示す平面図であって、２２は案内シートであり、図２に対応する部分には同一符号をつけて重複する説明を省略する。
【００４１】
同図において、棚３の表面には、夫々の係合孔１８ａ1，１８ａ2，１８ｂ1，１８ｂ2と棚３の前側辺３ａとの間に薄い案内シート２２が設けられている。かかる案内シート２２は、非常に滑り易い素材のプラスチックやステンレスなどからなるものであって、ユニット１がラック２内を移動するときには、ユニット１の背面７に設けられた爪１９の係合部２０の先端がこの案内シート２２上を良好に滑って移動する。
【００４２】
これにより、棚３としては、爪１９の係合部２０の先端を配慮することなく、所望とする素材でもって作成することが可能となる。
【００４３】
また、爪１９はステンレスなどの板状のものを折り曲げたものであるが、爪１９の係合部２０の先端が棚３の表面を擦ることにより、その折曲部に曲げ方向やその逆方向の力が作用し、この作用が繰り返されると、その折曲部で破損する可能性もある。
【００４４】
図７はかかる問題を解消するための爪１９の他の具体例を示す断面図であって、２３は補強部材であり、前出図面に対応する部分には同一符号をつけて重複する説明を省略する。
【００４５】
同図において、爪９の折曲部に三角柱状の補強部材２３を嵌め込み、爪１９に固定する。この補強部材２３の下面は、図３に示したように、爪１９が棚３の係合孔１８ａ（１８ｂ）に係合した状態で棚３の面に接触しないようにしている。
【００４６】
かかる構成により、図５に示したように、爪１９の係合部２０の先端が棚３の表面を擦りながら移動しても、爪１９の折曲部に加わる力による影響がなくなり、この折曲部で破損するなどの事態を回避できる。
【００４７】
なお、以上の第１の実施形態では、例えば、同じ棚３に係合孔１８を２対設け、奥行き寸法が異なる２種類のユニット１を同じ棚３に収納できるようにしたが、３対以上の係合孔１８を設け、同じ棚に奥行き寸法が異なる３種類以上のユニット１を収納することができるようにすることもできる。
【００４８】
また、図６によると、対をなす係合孔１８は、奥行き寸法が大きいユニット１に対するものを外側に、奥行き寸法が小さいユニット１に対するものを内側に夫々設けるようにしているが、これに限るものではなく、その内側、外側の位置はユニットの奥行き寸法にかかわらず任意に決めることができる。
【００４９】
次に、本発明による筐体のユニット取り付け構造の第２の実施形態について説明する。
【００５０】
なお、この第２の実施形態も、全体構成としては、図１に示す構成をなすものであって、収納されたユニットの背面部を固定する機構が異なるものである。
【００５１】
また、この第２の実施形態においても、以下では、筐体として、ラックを例にして説明するが、棚が設けられ、これにユニットを収納・固定するものであれば、ラックに限るものではない。
【００５２】
図８はこの第２の実施形態でのユニットの背面部を固定機構の一具体例を示す平面図であって、３ｃは棚３の左側辺、３ｄは棚３の右側辺、２４ａ〜２４ｄは貫通溝、２５ａ，２５ｂは受け金具であり、前出図面に対応する部分には同一符号をつけて重複する説明を省略する。
【００５３】
同図において、ラック２（図１）の各棚３の左側辺３ｃ側には、棚３を貫通した２つの貫通溝２４ａ，２４ｂが棚３の左側辺３ｃに平行に（従って、左側辺３ｃに垂直な前辺３ａに垂直に）一定の間隔Ｓで設けられており、同様に、棚３の右側辺３ｄ側には、棚３を貫通した２つの貫通溝２４ｃ，２４ｄが棚３の右側辺３ｄに平行に（従って、右側辺３ｄに垂直な前辺３ａに垂直に）一定の間隔Ｓで設けられている。
【００５４】
ここで、これら貫通溝２４ａ〜２４ｄは、棚３の前側辺３ａから奥行き寸法が小さい種類のユニット１ｂ（図４）の奥行き寸法に等しい以下の距離をＬSとし、棚３の前側辺３ａから奥行き寸法が大きい種類のユニット１ａ（図４）の奥行き寸法に等しい以上の距離をＬLとすると（但し、距離ＬL＜棚３の左・右側辺３ｃ，３ｄの長さ）、これら貫通溝２４ａ〜２４ｄは、棚３の左・右側辺３ｃ，３ｄに沿って、棚３の前側辺３ａから距離ＬSの位置から距離ＬLの位置まで形成されている。
【００５５】
また、貫通溝２４ａ，２４ｂには、これに貫通溝２４ａ，２４ｂに沿って移動可能に受け金具２５ａが設けられており、同様に、貫通溝２４ｃ，２４ｄにも、これに貫通溝２４ｃ，２４ｄに沿って移動可能に受け金具２５ｂが設けられている。
【００５６】
図９は図８における受け金具２５ｂと貫通溝２４ｃ，２４ｄへのその取り付け状態を示す図であって、同図（ａ）は斜視図、同図（ｂ）は同図（ａ）の分断線Ａ−Ａに沿う断面図、同図（ｃ）は同図（ａ）で矢印Ｂ方向に見た側面図であり、２５ｂ1は平面部、２５ｂ2は傾斜部、２５ｂ3は突出片、２５ｂ4はねじ孔、２６はねじ、２６ａはねじ２６の頭、２７はナット、２８は爪受け部であり、図８に対応する部分には同一符号をつけて重複する説明を省略する。
【００５７】
図９（ａ）に示すように、受け金具２５ｂは平面部２５ｂ1と傾斜部２５ｂ2とからなり、この平面部２５ｂ1は、図９（ｂ）に示すように、棚３上にあって、傾斜部２５ｂ2はこの平面部２５ｂ1から所定の傾斜角で立ち上がっている。この傾斜部２５ｂ2は、平面部２５ｂ1に対し、棚３の前側辺３ａ（図８）に設けられている。そして、この傾斜部２５ｂ2とその下方の棚３の上面とで爪受け部２８が形成されている。
【００５８】
この受け金具２５ｂの平面部２５ｂ1の下面には、貫通溝２４ｃ，２４ｄのいずれか一方（ここでは、貫通溝２４ｃ）に沿って突出片２５ｂ3が設けられ、この突出片２５ｂ3が一方の貫通溝２４ｃに嵌入されている。また、この受け金具２５ｂの平面部２５ｂ1の他方の貫通溝２４ｄに対向する位置にねじ孔２５ｂ4が設けられており、棚３の下面側から貫通溝２４ｄ，ねじ孔２５ｂ4を通してねじ２６が挿入され、このねじ２６の先端部が受け金具２５ｂの平面部２５ｂから上方に突出してナット２７が取り付けられている。かかるねじ２６はその直径がほぼ貫通溝２４ｄのの幅に等しく、従って、ねじ２６の頭２６ａやナット２７は貫通溝２４ｄを通ることができない大きさを持っている。
【００５９】
ねじ２６が緩められている状態では（図９（ｂ）はこの状態を示しており、棚３の下面とねじ２６の頭２６ａとの間にわずかに隙間が生じていることを示している）、貫通溝２４ｃに嵌入した突出片２５ｂ3と貫通溝２４ｄに嵌入しているねじ２６とにより、図９（ａ）において、受け金具２５ｂは貫通溝２４ｃ，２４ｄに沿って移動させることができる。また、ねじ２６を締め付けることにより、受け金具２５ｂの平面部２５ｂ1がこのねじ２６の締め付けを行なった位置で棚３の上面に固定される。
【００６０】
図１０はこの第２の実施形態でのラックに収納されるユニットの背面部分とその収納途中の状態を示す断面図であって、２９は爪であり、図９に対応する部分には同一符号をつけて重複する説明を省略する。
【００６１】
上記第１の実施形態では、図１で示すユニット１の背面側に設けられている爪１９は、図３に示すように、金属性の板が下方に折り曲げられた形状をなすものであったが、この第２の実施形態での爪２９は、図１０に示すように、くさび状をなしており、ユニット１のラック内でのスライド（移動）方向でのその断面形状は受け金具２５ｂに設けられた爪受け部２８の断面形状と同じ形状をなしている。
【００６２】
ここで、受け金具２５ｂがねじ２６によって棚３に固定されているときには、ユニット１をラック内で矢印Ｃ方向に押し込むことにより、ユニット１の背面に設けられた爪２９が受け金具２５ｂの爪受け部２８に係合し、これによってユニット１の背面側が棚３に固定されることになる。
【００６３】
以上、図８での貫通溝２４ｃ，２４ｄ側の受け金具２５ｂに関して説明したが、貫通溝２４ａ，２４ｂ側の受け金具２５ａについても、同様である。
【００６４】
図１１は棚３でのユニット１の種類毎の受け金具２５の位置設定を示す図であって、同図（ａ）は奥行き寸法が大きいユニット１ａに対する位置設定を、同図（ａ）は奥行き寸法が小さいユニット１ｂに対する位置設定を夫々示すものであり、２９ａ1，２９ｂ1は奥行き寸法が大きいユニット１ａの爪、２９ａ2，２９ｂ2は奥行き寸法が小さいユニット１ｂの爪である。また、前出図面に対応する部分には同一符号をつけて重複する説明を省略する。
【００６５】
図１１（ａ）において、奥行き寸法が大きいユニット１ａの背面に設けられた２つの爪２９ａ1，２９ｂ1は図１０で説明した爪２９の形状をなしており、受け金具２５ａ1，２５ｂ1は図９で説明した受け金具２５ｂの形状をなしている。
【００６６】
ラックの棚３を奥行き寸法が大きいユニット１ａを用いる場合には、受け金具２５ａ1，２５ｂ1は、ねじ２６（図９）が緩められていることにより、貫通溝２４ａ，２４ｂ、貫通溝２４ｃ，２４ｄに沿って自由に移動可能な状態にある。
【００６７】
そこで、このユニット１ａをラックの棚３に乗せ、それを矢印Ｃ方向に押し込むと、その移動中ユニット１ｂの背面７の両側に設けられている爪２９ａ1，２９ｂ1が夫々受け金具２５ａ1，２５ｂ1に当接してそれらの爪受け部２８（図９（ｃ））に嵌合し、これにより、ユニット１ａの押し込みとともに、金具２５ａ1，２５ｂ1が爪２９ａ1，２９ｂ1によってラックの奥の方に押されて移動していく。そして、先の第１の実施形態と同様、ユニット１ａの前面板６がラック２の前面枠４（図１）に当接し、ユニット１ａがこれ以上ラック２内に押し込むことができない状態になると、このときの受け金具２５ａ1，２５ｂ1の位置をそれらの設定位置とし、ねじ２６（図９）を締め付けてこれら受け金具２５ａ1，２５ｂ1を棚３に固定する。
【００６８】
このようにして、奥行き寸法が大きいユニット１ａに対する受け金具２５ａ1，２５ｂ1の位置を設定することができる。
【００６９】
ラックの棚３を奥行き寸法が小さいユニット１ｂを用いる場合でも同様であって、図１１（ｂ）において、受け金具２５ａ2，２５ｂ2は、ねじ２６（図９）が緩められていることにより、貫通溝２４ａ，２４ｂ、貫通溝２４ｃ，２４ｄに沿って自由に移動可能な状態にある。
【００７０】
そこで、このユニット１ｂをラックの棚３に乗せ、それを矢印Ｃ方向に押し込むと、その移動中ユニット１ｂの背面７の両側に設けられている爪２９ａ2，２９ｂ2が夫々受け金具２５ａ2，２５ｂ2に当接してそれらの爪受け部２８（図９（ｃ））に嵌合し、これにより、ユニット１ｂの押し込みとともに、金具２５ａ2，２５ｂ2が爪２９ａ2，２９ｂ2によってラックの奥の方に押されて移動していく。そして、先の第１の実施形態と同様、ユニット１ｂの前面板６がラック２の前面枠４（図１）に当接し、ユニット１ｂがこれ以上ラック２内に押し込むことができない状態になると、このときの受け金具２５ａ2，２５ｂ2の位置をそれらの設定位置とし、ねじ２６（図９）を締め付けてこれら受け金具２５ａ2，２５ｂ2を棚３に固定する。
【００７１】
このようにして、奥行き寸法が大きいユニット１ｂに対する２５ａ2，２５ｂ2の位置を設定することができる。
【００７２】
なお、各受け金具２５ａ1，２５ｂ1，２５ａ2，２５ｂ2は、そのねじ２６を緩めることにより、位置を変更できるようになるから、同じ棚３において、異なる種類のユニットの収納部として容易に変更することが可能である。
【図面の簡単な説明】
【００７３】
【図１】本発明による筐体のユニット取付構造の第１の実施形態を示す斜視図である。
【図２】図１におけるラックの棚の一具体例を示す平面図である。
【図３】図１におけるユニットの爪の一具体例を示す断面図である。
【図４】種類（奥行き寸法）が異なるユニットの爪がラックの棚の係合孔に係合するまでの過程を示す図である。
【図５】図１に示す第１の実施形態でのラック内を移動中のユニットの状態を示す図である。
【図６】図１におけるラックの棚の他の具体例を示す平面図である。
【図７】図１に示す第１の実施形態でのユニットの爪の他の具体例を示す断面図である。
【図８】本発明による筐体のユニット取付構造の第２の実施形態でのユニットの背面部の固定機構の一具体例を示す平面図である。
【図９】図８における受け金具と貫通溝へのその取り付け状態を示す図である。
【図１０】第２の実施形態でのラックに収納されるユニットの背面部分とその収納途中の状態を示す断面図である。
【図１１】第２の実施形態でのユニットの種類毎の受け金具の位置設定を示す図である。
【図１２】筐体のユニット取付構造の一従来例を示す図である。
【図１３】筐体のユニット取付構造の他の従来例を示す図である。
【符号の説明】
【００７４】
１，１ａ，１ｂ  ユニット
２  ラック
３  棚
３ａ  前側辺
３ｂ  後側辺
３ｃ  左側辺
３ｄ  右側辺
４  前面枠
５  ねじ穴
６  前面板
７  背面
８  ねじ穴
１０  把手
１１  ねじ
１８ａ，１８ｂ，１８ａ1，１８ａ2，１８ｂ1，１８ｂ2  係合孔
１９，１９ａ1，１９ａ2，１９ｂ1，１９ｂ2  爪
２０  係合部
２１  ユニット１の底面
２２  案内シート
２３  補強部材
２４ａ〜２４ｄ  貫通溝
２５ａ，２５ｂ  受け金具
２５ｂ1  平面部
２５ｂ2  傾斜部
２５ｂ3  突出片
２５ｂ4  ねじ孔
２６  ねじ
２６ａ  ねじ２６の頭
２７  ナット
２８  爪受け部
２９，２９ａ1，２９ｂ1，２９ａ2，２９ｂ2  爪
【図１】
2009010028.tif 000003
【図２】
2009010028.tif 000004
【図３】
2009010028.tif 000005
【図４】
2009010028.tif 000006
【図５】
2009010028.tif 000007
【図６】
2009010028.tif 000008
【図７】
2009010028.tif 000009
【図８】
2009010028.tif 000010
【図９】
2009010028.tif 000011
【図１０】
2009010028.tif 000012
【図１１】
2009010028.tif 000013
【図１２】
2009010028.tif 000014
【図１３】
2009010028.tif 000015